(57)【要約】【課題】防水シートの上端部が開閉体から外れてしまうことを抑制できる開口部の防水装置を提供すること。【解決手段】構造物Ｓの屋内側と屋外側とを連通しかつ開閉体４によって開閉される開口部Ｏに設置されるシート１０と、シート１０を開閉体４よりも屋外側の位置で構造物Ｓに対して保持する保持部材２０と、シート１０の上端部１２を開閉体４に取り付ける取付部材３０と、を備え、取付部材３０は、シート１０の上端部１２に取り付けられるシート取付部３０ａと、開閉体４に取り付けられる開閉体取付部３０ｂと、シート取付部３０ａと開閉体取付部３０ｂとを連結しかつシート取付部３０ａと開閉体取付部３０ｂとの距離が伸びることを許容する連結部３０ｃとを備えている。【選択図】図１
2014177803.tif 000002
【特許請求の範囲】
【請求項１】
構造物の屋内側と屋外側とを連通し、かつ開閉体によって開閉される開口部に設置されるシートと、
前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する保持部材と、
前記シートの上端部を前記開閉体に取り付ける取付部材と、を備え、
前記取付部材は、
前記シートの上端部に取り付けられるシート取付部と、前記開閉体に取り付けられる開閉体取付部と、前記シート取付部と前記開閉体取付部とを連結しかつ前記シート取付部と前記開閉体取付部との距離が水圧に応じて伸びることを許容する連結部と、を備えている
ことを特徴とする開口部の防水装置。
【請求項２】
前記取付部材は、粘着テープであり、
前記シート取付部は、前記シートの上端部に貼り付けられる前記粘着テープの一端部であり、
前記開閉体取付部は、前記開閉体に貼り付けられる前記粘着テープの他端部であり、
前記連結部は、粘着面同士が貼り付けられた前記粘着テープの中央部である
ことを特徴とする請求項１に記載の開口部の防水装置。
【請求項３】
前記連結部は、弾性体である
ことを特徴とする請求項１に記載の開口部の防水装置。
【請求項４】
前記開閉体取付部は、前記開閉体に貼り付く吸盤を備える
ことを特徴とする請求項３に記載の開口部の防水装置。
【発明の詳細な説明】
【技術分野】
【０００１】
本発明は、開口部の防水装置に関する。
【背景技術】
【０００２】
従来、開閉体によって開閉される開口部からの浸水を抑制する技術が提案されている。例えば、特許文献１には、開閉体としてのシャッタの裏面には屈曲自在な防水シートが設けられていると共に、防水シートと対向するようにしてガイド部材にはシール部材が設けられ、シャッタに浸水しようとする氾濫水等の水圧がシャッタの表面に作用すると、防水シートがシール部材に圧接されるようになっている、浸水防止機能を備えたシャッタ装置の技術が開示されている。
【先行技術文献】
【特許文献】
【０００３】
【特許文献１】特許第４４５９７４０号公報
【発明の概要】
【発明が解決しようとする課題】
【０００４】
前述した特許文献１に示された技術では、開口部からの浸水を抑制することについて、なお改良の余地がある。例えば、シャッタとガイド部材との隙間以外の経路からも水が浸入する可能性がある。このために、シャッタの表面側に防水シートを保持部材により保持することが提案されている。この場合、防水シートの上端部が開閉体から外れてしまう、というなお改良の余地がある。例えば、増水時などの非常時に、水圧によって、防水シートが下方に引っ張られても、防水シートの上端部が開閉体から外れてしまうことを抑制できることが望まれている。
【０００５】
本発明の目的は、防水シートの上端部が開閉体から外れてしまうことを抑制できる開口部の防水装置を提供することである。
【課題を解決するための手段】
【０００６】
本発明の開口部の防水装置は、構造物の屋内側と屋外側とを連通し、かつ開閉体によって開閉される開口部に設置されるシートと、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する保持部材と、前記シートの上端部を前記開閉体に取り付ける取付部材と、を備え、前記取付部材は、前記シートの上端部に取り付けられるシート取付部と、前記開閉体に取り付けられる開閉体取付部と、前記シート取付部と前記開閉体取付部とを連結しかつ前記シート取付部と前記開閉体取付部との距離が水圧に応じて伸びることを許容する連結部と、を備えていることを特徴とする。
【０００７】
上記開口部の防水装置では、シートの上端部を開閉体に取り付ける取付部材が、シート取付部と開閉体取付部とを連結しかつシート取付部と開閉体取付部との距離が伸びることを許容する連結部を備えているので、増水時の水圧などにより取付部材が引っ張られると、シート取付部と開閉体取付部との距離が伸びる。
【０００８】
上記開口部の防水装置において、前記取付部材は、粘着テープであり、前記シート取付部は、前記シートの上端部に貼り付けられる前記粘着テープの一端部であり、前記開閉体取付部は、前記開閉体に貼り付けられる前記粘着テープの他端部であり、前記連結部は、粘着面同士が貼り付けられた前記粘着テープの中央部であることが好ましい。
【０００９】
上記開口部の防水装置では、シート取付部及び開閉体取付部が粘着テープの両端部であり、連結部が粘着面同士が貼り付けられた粘着テープの中央部であるので、増水時の水圧などにより取付部材が引っ張られると、粘着テープの中央部の粘着面同士がシート取付部及び開閉体取付部に近い箇所から徐々にはがれる。
【００１０】
上記開口部の防水装置において、前記連結部は、弾性体であることが好ましい。
【００１１】
上記開口部の防水装置では、連結部が弾性体であるので、増水時の水圧などにより取付部材が引っ張られると、弾性体が伸びて、シート取付部と開閉体取付部との距離が確実に伸びる。
【００１２】
上記開口部の防水装置において、前記開閉体取付部は、前記開閉体に貼り付く吸盤を備えることが好ましい。
【００１３】
上記開口部の防水装置では、開閉体取付部が吸盤を備えているので、増水時の水圧などにより取付部材が引っ張られると、弾性体が伸びるとともに、開閉体取付部が開閉体に貼り付いたまま下方に移動する。
【発明の効果】
【００１４】
本発明に係る開口部の防水装置は、シートの上端部が開閉体から外れてしまうことを抑制できるという効果を奏する。
【図面の簡単な説明】
【００１５】
【図１】図１は、本発明の実施形態に係る開口部の防水装置を示す斜視図である。
【図２】図２は、実施形態に係る開口部の防水装置により防水される開口部などを示す斜視図である。
【図３】図３は、図１中のＩＩＩ−ＩＩＩ線に沿う断面図である。
【図４】図４は、実施形態１に係る開口部の防水装置のシートが下方に引っ張られた状態を示す縦断面図である。
【図５】図５は、実施形態１の変形例に係る開口部の防水装置の要部の縦断面図である。
【図６】図６は、実施形態１の変形例に係る開口部の防水装置のシートが下方に引っ張られた状態を示す縦断面図である。
【図７】図７は、本発明の実施形態２に係る開口部の防水装置を示す斜視図である。
【図８】図８は、実施形態２に係る開口部の防水装置の取付部材を示す斜視図である。
【図９】図９は、実施形態２に係る開口部の防水装置の取付部材を示す他の斜視図である。
【発明を実施するための形態】
【００１６】
以下に、本発明の実施形態に係る開口部の防水装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１７】
［実施形態１］
図１から図４を参照して、実施形態１について説明する。実施形態１は、構造物の開口部を防水する開口部の防水装置に関する。図１は、本発明の実施形態１に係る開口部の防水装置を示す斜視図、図２は、実施形態１に係る開口部の防水装置により防水される開口部などを示す斜視図、図３は、図１中のＩＩＩ−ＩＩＩ線に沿う断面図、図４は、実施形態１に係る開口部の防水装置のシートが下方に引っ張られた状態を示す縦断面図である。
【００１８】
建物等の構造物の外部開口部には、開閉体としての開閉扉が付けられることが多い。例えば、洪水時などに浸水すると商品が毀損されやすい店舗等の入口にもガラスなどで構成された開閉扉が付けられていることが多い。開閉扉には、扉間及び書く扉と開口部との間に隙間があるために、ゲリラ豪雨や洪水時には隙間を介した浸水によって店舗等の施設が被害に遭う可能性がある。
【００１９】
浸水対策として、開閉扉の下部を防水板（パネル）に変更する方法も考えられるが、一般的に高額となりやすいため、ユーザーにとって受け入れにくい場合がある。
【００２０】
実施形態１の開口部の防水装置１は、開閉扉の前にシートを設置して、簡易的にかつ安価に止水することを可能とする。シートは、開閉扉とその周囲の構造物とを一体に覆うことで、開閉扉と構造物との隙間を閉塞し、適切に止水することができる。よって、実施形態１の開口部の防水装置１によれば、水害による建物内部の被害を軽減することができる。
【００２１】
図１に示す開口部の防水装置１は、構造物Ｓの開口部Ｏ（図２に示す）を閉塞し、屋外側から屋内側への水の浸入を抑制するものである。構造物Ｓは、例えば、工場、倉庫、車庫、店舗、家屋等の建築構造物であり、開口部Ｏを有している。開口部Ｏは、構造物Ｓの壁部等に形成されており、構造物Ｓの屋外側と屋内側とを連通している。
【００２２】
屋内側、屋外側とは説明上分かりやすくするための便宜上の表現であって、屋外側とは、水が浸入する場合の上流側のことであり、屋内側とは、上流側から水が浸入する可能性がある側であり、本発明においては水が浸入してくるのを阻止や抑制したい側のことである。開閉扉や壁等とともに防水装置１を、例えば単なる道路の防水用仕切りとして使用したり、外部空間における門等の箇所に取り付ける等のように、家屋や部屋等の概念がない箇所に設けても良い。また、開口部Ｏは、前述の屋外側と屋内側とを連通するものとすることができる。本実施形態の開口部Ｏは、構造物Ｓの外殻をなす壁部３に形成されており、壁部３を貫通して構造物Ｓの屋外と屋内とを連通している。なお、これに限らず、開口部Ｏは、構造物Ｓの内部を仕切る壁部に形成されたものであってもよい。
【００２３】
開閉扉４は、開口部Ｏを開閉する開閉体である。開閉扉４は、図２に示すように、開閉方向、本実施形態では左右水平方向に移動する一対の扉４ａ，４ｂを備えている。本実施形態では、構造物Ｓの開口部Ｏの周りの壁部３は、ガラスなどの透明叉は半透明の材料で構成されている。
【００２４】
開閉扉４の一対の扉４ａ，４ｂは、図示しないガイドレールによって案内される。ガイドレールは、開口部Ｏの上下両端に設けられ、壁部３の表面である壁面３ａ，３ｂに平行である。なお、壁面３ａ，３ｂは、開口部Ｏの幅方向に互いに並べられて、互いの間に開口部Ｏを位置付ける。扉４ａ，４ｂの上下方向の両端部は、それぞれガイドレールの溝部に挿入されている。溝部は、開閉方向即ち左右水平方向に延在しており、扉４ａ，４ｂを開閉方向、即ち、左右方向に移動自在に案内する。また、本実施形態では、壁３及び扉４ａ，４ｂの下端部には、壁３及び扉４ａ，４ｂよりも厚い幅木５，７が設けられている。なお、本発明でいう床面とは、説明上分かりやすくするための便宜上の表現であって、通常の床面６のみならず、コンクリート面や地面等の開口部Ｏの下方に位置する面及び幅木５の表面５ａを総称する。
【００２５】
開閉扉４は、一対の扉４ａ，４ｂが互いに近付いて開口部Ｏを閉塞し、一対の扉４ａ，４ｂが互いに離間して開口部Ｏを開放する。扉４ａ，４ｂの移動は、手動でなされても、モータ等の駆動装置によって自動でなされてもよい。本実施形態の開閉扉４は、一対の扉４ａ，４ｂ、ガイドレールなどを有する。
【００２６】
図１に戻り、開口部の防水装置（以下、防水装置と呼ぶ）１は、シート１０、保持部材２０および粘着テープ３０（取付部材に相当）を備える。シート１０は、開口部Ｏに設置されるものであり、開口部Ｏの鉛直方向下端側の領域を閉塞することが可能な幅および長さを有している。シート１０の形状は、例えば、矩形である。シート１０は、遮水性を有しており、開口部Ｏの防水シートとして機能することができる。また、シート１０は、可撓性を有しており、伸縮可能であってもよい。シート１０の素材は、例えば、樹脂、ゴム、表面を樹脂などでコーティングした布とすることができる。シート１０は、水圧による開閉扉４等の開閉体の変形に追従できる素材で構成されることが好ましい。
【００２７】
シート１０の幅は、開閉扉４の幅よりも大きい。また、シート１０の幅は、開口部Ｏの幅、言い換えると壁面３ａと壁面３ｂとの距離よりも大きいことが好ましい。シート１０の鉛直方向の長さは、対応すべき水深に基づいて定められている。すなわち、開閉扉４の下端から鉛直方向上側に向けてどの範囲をシート１０によって覆い防水するかに基づいてシート１０の全長が定められている。以下の説明では、開閉扉４においてシート１０によって覆われるべき部分を「所定部」（図１の符号５１参照）と称する。所定部５１は、開閉扉４の鉛直方向下端側の部分である。
【００２８】
保持部材２０は、シート１０を開閉扉４よりも屋外側に位置付けて構造物Ｓに対して保持する。より詳しくは、保持部材２０は、開閉扉４の所定部５１と、構造物Ｓのうち所定部５１に隣接する部分とを一体に覆うことで開口部Ｏの鉛直方向下端部を閉塞させるようにシート１０を保持する。また、保持部材２０は、シート１０の鉛直方向下端部が幅木５の表面５ａ及び床面６に沿って屋外側に向けて延在するようにシート１０の幅方向の両端を保持する。これにより、シート１０は、開閉扉４が有する隙間や開閉扉４と構造物Ｓとの隙間を塞ぎ、屋内側への浸水を抑制することができる。なお、本明細書では、シート１０の鉛直方向下端部であって、シート１０が保持部材２０によって保持された状態で床面６及び幅木５の表面５ａに沿って延在する部分を、以下「シート下部１３」と記載する。
【００２９】
図１に示すように、保持部材２０は、アルミニウム合金等で構成され、一対設けられている。保持部材２０は、壁面３ａ，３ｂにそれぞれ取り付けられている。保持部材２０は、断面Ｃ字形状のＣ字状部２１と、Ｃ字状部２１に連なった平板状部２２とを備えている。保持部材２０のＣ字状部２１は、互いに対向する面にスリット２１ａが形成されている。平板状部２２は、Ｃ字状部２１のスリット２１ａの背面側に連なり、壁面３ａ，３ｂに取り付けられる。保持部材２０は、鉛直方向に延在しており、開閉扉４の所定部５１に対応する範囲に配置されている。すなわち、保持部材２０は、開閉扉４の下端から所定部５１の上端までの範囲に対応して配されている。なお、本発明では、保持部材２０は、防水装置１の防水性能等の使用上の問題がないような実質的な意味で開閉扉４の所定部５１に対応していればよく、例えば、保持部材２０の上端は必ずしも所定部５１の上端と一致せず、若干下側に位置していてもよい。
【００３０】
また、シート１０の幅方向の両端には、それぞれ心材１１が配置されている。心材１１は、軽量でかつ可撓性を有する素材、例えば樹脂素材で形成されている。心材１１は、シート１０の幅方向の両端の上端から所定部５１の下端に対応する箇所、即ち、シート１０の幅方向の両端のシート下部１３を除く箇所に配置されている。心材１１は、シート１０の長さ方向（鉛直方向）に延在している。心材１１は、断面矩形の平板形状であり、シート１０の壁面３ａ，３ｂ及び扉４ａ，４ｂに相対する面に設けられ、保持部材２０のＣ字状部２１に挿入可能である。保持部材２０のＣ字状部２１のスリット２１ａの幅は、シート１０と心材１１をあわせた厚みよりも小さいため、心材１１がスリットを介してＣ字状部２１から抜け出ることが規制される。なお、心材１１は、断面矩形のものには限定されず、例えば、断面が多角形状や円形のものであってもよい。
【００３１】
粘着テープ３０は、シート１０の上端部１２を開閉扉４に取り付けるものであり、実施形態１では、複数設けられている。粘着テープ３０は、シート１０の幅方向に間隔をあけて配置されている。実施形態１では、粘着テープ３０は、図３に示すように、一方の表面に粘着面３１が形成されている。粘着テープ３０の一端部３０ａ（シート取付部に相当）は、粘着面３１がシート１０の上端部１２の表面に貼り付けられて、シート１０の上端部１２に取り付けられる。粘着テープ３０の他端部３０ｂ（開閉体取付部に相当）は、粘着面３１が開閉扉４の扉４ａ，４ｂの表面に貼り付けられて、開閉扉４に取り付けられる。
【００３２】
粘着テープ３０の一端部３０ａと他端部３０ｂとの間の中央部３０ｃ（連結部に相当）は、一端部３０ａと他端部３０ｂとを連結し、かつ長手方向の中央で折られて粘着面３１同士が貼り付けられている。中央部３０ｃは、シート１０に作用する水圧に応じて粘着テープ３０が長手方向に引っ張られると、両端部３０ａ，３０ｂに近い箇所から粘着面３１同士が徐々に剥がされる。粘着テープ３０の中央部３０ｃは、水圧に応じて粘着テープ３０が長手方向に引っ張られて、両端部３０ａ，３０ｂに近い箇所から粘着面３１同士が徐々に剥がされることで、一端部３０ａと他端部３０ｂとの距離（粘着テープ３０の表面に沿う方向の距離）が伸びることを許容する。なお、粘着テープ３０の中央部３０ｃは、シート１０が開口部Ｏに設置された状態（シート１０に作用する水圧が零の状態）では、粘着面３１同士が貼り付けられて、完全に伸びていない。また、粘着テープ３０の中央部３０ｃは、粘着面３１同士が完全に剥がされた状態よりも、一端部３０ａと他端部３０ｂとの距離が伸びることを許容できない。このように、粘着テープ３０の中央部３０ｃは、粘着面３１同士が貼り付けられた状態から完全に剥がされた状態の範囲内において、一端部３０ａと他端部３０ｂとの距離が伸びることを許容できる。
【００３３】
シート１０を開口部Ｏに設置する場合、即ち、防水装置１を組み立てる場合、まず、保持部材２０を壁面３ａ，３ｂに取り付ける。そして、シート１０の幅方向の両端及び心材１１を、保持部材２０の上端からＣ字状部２１内に挿入し、シート１０の両端及び心材１１を保持部材２０の下端に向けてＣ字状部２１内を移動する。そして、シート１０の両端及び心材１１が保持部材２０のＣ字状部２１に挟持され、シート１０の心材１１が設けられていないシート下部１３を、保持部材２０の下端と床面６との間を通して、床面６上に引き出し、幅木５の表面５ａ及び床面６に沿って屋外側に向けて延在される。
【００３４】
すると、シート１０の幅は、開口部Ｏの幅Ｗ（図２参照）よりも大きく、以下に示すような幅に設定している。すなわち、シート１０の両端が保持部材２０によって保持された状態で、シート１０は、たるみを有している。つまり、保持部材２０は、シート１０がたるみを有した状態でシート１０を保持し、シート１０が保持部材２０よりも開閉扉４側に向けて撓んで所定部５１と接触することを許容する。従って、シート１０が保持部材２０によって保持された状態で、シート１０を壁面３ａ，３ｂおよび開閉扉４の各扉４ａ，４ｂに沿わせ、壁面３ａ，３ｂおよび開閉扉４の各扉４ａ，４ｂと互いに接触した状態に設置することが可能である。なお、保持部材２０に保持され、かつ水圧がかかる前の状態において、シート１０が開閉扉４の各扉４ａ，４ｂおよび壁面３ａ、３ｂに密着可能な程度のたるみを有していることが好ましい。
【００３５】
また、シート１０の鉛直方向の長さは、開閉扉４の所定部５１の鉛直方向の長さよりも長く、以下に示すような長さに設定している。すなわち、シート１０が保持部材２０によって保持された状態で、シート下部１３を床面６上に垂らし、幅木５の表面５ａ及び床面６に沿わせることが可能である。シート１０は、このシート下部１３を幅木５の表面５ａ及び床面６に沿って屋外側に向けて延在させた状態で設置される。言い換えると、シート１０は、シート下部１３が幅木５の表面５ａ及び床面６と互いに対向し、かつ先端側へ向かうに従い開閉扉４から離間するように配置される。
【００３６】
そして、図３に示すように、中央部３０ｃの粘着面３１同士が貼り付けられた粘着テープ３０の一端部３０ａの粘着面３１をシート１０の上端部１２に貼り付け、粘着テープ３０の他端部３０ｂの粘着面３１を開閉扉４の扉４ａ，４ｂに貼り付ける。こうして、シート１０が所定部５１と壁面３ａ，３ｂの所定部５１に隣接する部分とを一体に覆いかつシート下部１３が幅木５の表面５ａ及び床面６に沿って屋外側に向けて延在した状態で、粘着テープ３０によりシート１０の上端部１２を開閉扉４の扉４ａ，４ｂに固定することで、シート１０を幅木５の表面５ａ及び床面６、構造物Ｓの壁面３ａ，３ｂ及び開閉扉４の各扉４ａ，４ｂに向けて押圧する。粘着テープ３０により、シート１０が垂れ下がることが抑制され、シート１０の上端部１２を狙いとする水位の位置よりも上方に保持しておくことができる。こうして、防水装置１が組み立てられる。
【００３７】
本実施形態の防水装置１では、洪水やゲリラ豪雨等によって屋外の水嵩が増すと、まずシート下部１３が水に接する。水圧によってシート下部１３は床面６に向けて押圧されて床面６に密着する。これにより、シート下部１３と床面６との間から水が浸入することが抑制される。シート１０は、水圧によって所定部５１と、所定部５１に隣接する床面６とを一体に覆うことができる。
【００３８】
また、シート１０において、開閉扉４の各扉４ａ，４ｂや壁面３ａ，３ｂを覆う部分は、水圧によって開閉扉４の各扉４ａ，４ｂや壁面３ａ，３ｂに向けて押圧される。これにより、シート１０は、開閉扉４の所定部５１と、所定部５１に隣接する壁面３ａ，３ｂとを一体に覆うことができる。シート１０は、水圧によって押圧されることにより、開閉扉４の各扉４ａ，４ｂや壁面３ａ，３ｂ等に密着し、シート１０と開閉扉４の各扉４ａ，４ｂ、壁面３ａ，３ｂとの間に水が浸入することを抑制することができる。
【００３９】
また、シート１０は、水圧によって開閉扉４の各扉４ａ，４ｂ間や各扉４ａ，４ｂと壁面３ａ，３ｂとの間の隙間を塞ぐことで、これらの隙間を介した屋内側への浸水を抑制することができる。シート１０は、水圧によって開閉扉４の所定部５１と、所定部５１に隣接する幅木５の表面５ａ及び床面６との隙間を塞ぐことで、開閉扉４と床面６との隙間を介した屋内側への浸水を抑制することができる。
【００４０】
シート１０は、水圧によって開閉扉４の各扉４ａ，４ｂ等に対して押圧されるため、水位が増加するに従い開閉扉４の各扉４ａ，４ｂ等に対する密着性が増し、また各隙間を閉塞する閉塞性が増す。よって、シート１０は、水位に応じて遮水性能が増し、適切に屋内側への浸水を抑制することができる。
【００４１】
また、シート１０は、予めたるみを有した状態で保持部材２０によって保持されているため、水位の増加に応じて水圧によって速やかに開閉扉４の各扉４ａ，４ｂや壁面３ａ，３ｂ等に密着することが可能である。また、たるみを有しているため、開閉扉４の各扉４ａ，４ｂ間の隙間など、各部の隙間の形状に対応して適切に変形・屈曲し、各隙間を速やかにかつ適切に閉塞することができる。
【００４２】
さらに、水位の増加により増加する水圧に応じて、シート１０が下方に引っ張られて、シート１０が下方に移動すると、図４に示すように、粘着テープ３０の中央部３０ｃの互いに貼り付けられた粘着面３１が両端部３０ａ，３０ｂに近い箇所から徐々に剥がされて、粘着テープ３０の中央部３０ｃが一端部３０ａと他端部３０ｂとの距離が伸びることを許容する。粘着テープ３０は、中央部３０ｃの互いに貼り付けられた粘着面３１同士が全て剥がれるまで、一端部３０ａがシート１０の上端部１２から剥がれることが抑制されるとともに、他端部３０ｂが開閉扉４の扉４ａ，４ｂから剥がれることが抑制される。
【００４３】
本実施形態の防水装置１によれば、シート１０の上端部１２を開閉扉４の扉４ａ，４ｂに取り付ける粘着テープ３０が、シート取付部としての一端部３０ａと、開閉体取付部としての他端部３０ｂとを連結しかつ引っ張られると一端部３０ａと他端部３０ｂとの距離が伸びることを許容する連結部としての中央部３０ｃを備えている。このために、増水時の水圧などによりシート１０が下方に引っ張られて、粘着テープ３０の一端部３０ａが下方に引っ張られると、一端部３０ａと他端部３０ｂとの距離が伸び、一端部３０ａがシート１０の上端部１２から剥がれることが抑制されるとともに、他端部３０ｂが開閉扉４の扉４ａ，４ｂから剥がれることが抑制される。したがって、増水時にシート１０が下方に引っ張られても、粘着テープ３０が、シート１０や開閉扉４から外れてしまうことを抑制でき、シート１０の上端部１２が開閉扉４の扉４ａ，４ｂから外れてしまうことを抑制できる。
【００４４】
また、開口部の防水装置１では、粘着テープ３０の中央部３０ｃの粘着面３１同士が貼り付けられているので、増水時の水圧などによりシート１０を介して粘着テープ３０が引っ張られると、中央部３０ｃの粘着面３１同士が両端部３０ａ，３０ｂに近い箇所から徐々にはがれて、一端部３０ａがシート１０の上端部１２に貼りついたままとなり、他端部３０ｂが開閉扉４の扉４ａ，４ｂに貼りついたままとなる。
【００４５】
［実施形態１の変形例］
実施形態１の変形例について説明する。図５は、実施形態１の変形例に係る開口部の防水装置の要部の縦断面図、図６は、実施形態１の変形例に係る開口部の防水装置のシートが下方に引っ張られた状態を示す縦断面図である。図５及び図６において、実施形態１と同一部分には、同一符号を付して説明を省略する。
【００４６】
変形例の防水装置１−１では、図５に示すように、粘着テープ３０の一端部３０ａの粘着面３１がシート１０の上端部１２の扉４ａ，４ｂに対向する面に貼り付けられて、シート１０の上端部１２に粘着テープ３０の一端部３０ａが取り付けられている。また、粘着テープ３０の他端部３０ｂの粘着面３１が扉４ａ，４ｂのシート１０の上端部１２に対向する面に貼り付けられて、開閉扉４の扉４ａ，４ｂに粘着テープ３０の他端部３０ｂが取り付けられている。また、開閉扉４の中央部３０ｃは、粘着面３１の裏側の面同士が重ねられている。
【００４７】
実施形態１の変形例の防水装置１−１では、水位の増加により増加する水圧に応じて、シート１０が下方に引っ張られて、シート１０が下方に移動すると、図６に示すように、粘着テープ３０の他端部３０ｂの粘着面３１が中央部３０ｃに近い箇所から開閉扉４の扉４ａ，４ｂから徐々に剥がされて、粘着テープ３０の中央部３０ｃが一端部３０ａと他端部３０ｂとの距離が伸びることを許容する。粘着テープ３０は、他端部３０ｂの粘着面３１が開閉扉４の扉４ａ，４ｂから全て剥がれるまで、シート１０の上端部１２が開閉扉４の扉４ａ，４ｂから外れることが抑制される。
【００４８】
変形例の防水装置１−１によれば、実施形態１の防水構造１と同様に、増水時にシート１０が下方に引っ張られても、粘着テープ３０が、シート１０や開閉扉４から外れてしまうことを抑制でき、シート１０の上端部１２が開閉扉４の扉４ａ，４ｂから外れてしまうことを抑制できる。
【００４９】
［実施形態２］
実施形態２について説明する。図７は、本発明の実施形態２に係る開口部の防水装置を示す斜視図、図８は、実施形態２に係る開口部の防水装置の取付部材を示す斜視図、図９は、実施形態２に係る開口部の防水装置の取付部材を示す他の斜視図である。図７〜図９において、実施形態１と同一部分には、同一符号を付して説明を省略する。
【００５０】
実施形態２に係る防水装置２では、シート１０の上端部１２を開閉扉４の扉４ａ，４ｂに取り付ける取付部材４０は、図７、図８及び図９に示すように、シート取付部４１及び開閉体取付部４２が合成樹脂で構成され、連結部４３が弾性体としてのばねで構成されている。また、本発明では、連結部４３は、ばねに限定されることなく、例えば、ゴムなどの弾性体で構成されても良い。なお、取付部材４０の連結部４３は、シート１０が開口部Ｏに設置された状態（シート１０に作用する水圧が零の状態）では、完全に伸びていない。また、取付部材４０の連結部４３は、完全に伸びた状態よりも、一端部３０ａと他端部３０ｂとの距離が伸びることを許容できない。このように、取付部材４０の連結部４３は、設置された状態から完全に伸びた状態の範囲内において、シート取付部４１と開閉体取付部４２との距離が伸びることを許容できる。
【００５１】
シート取付部４１は、図８及び図９に示すように、円板状の円板部４１ａと、円板部４１ａの中央から立設した柱部４１ｂとを一体に備えている。シート取付部４１は、シート１０の上端部１２に取り付けられる補強シート１４とともに円板部４１ａがシート１０の上端部１２に取り付けられる。
【００５２】
開閉体取付部４２は、図８及び図９に示すように、円板状の吸盤４２ａと、吸盤４２ａの中央から立設した柱部４２ｂとを一体に備えている。吸盤４２ａは、開閉扉４の扉４ａ，４ｂの表面に貼り付いて、開閉扉４の扉４ａ，４ｂに取り付けられる。連結部４３は、一端がシート取付部４１の柱部４１ａに取り付けられ、他端が開閉体取付部４２の柱部４２ａに取り付けられて、シート取付部４１と開閉体取付部４２とを連結している。連結部４３は、伸びることで、シート取付部４１と開閉体取付部４２との距離が伸びることを許容する。
【００５３】
取付部材４０は、シート取付部４１の円板部４１ａが補強シート１４とともにシート１０の上端部１２に取り付けられ、開閉体取付部４２の吸盤４２ａが開閉扉４の扉４ａ，４ｂに貼り付いて、シート１０の上端部１２を開閉扉４の扉４ａ，４ｂに取り付ける。
【００５４】
実施形態２の防水装置２では、水位の増加により増加する水圧に応じて、シート１０が下方に引っ張られて、シート１０が下方に移動すると、連結部４３が伸びて、シート取付部４１と開閉体取付部４２との距離が伸びる。さらに、シート１０が下方に移動すると、開閉体取付部４２の吸盤４２ａが開閉扉４の扉４ａ，４ｂに貼り付いたまま下方に移動する。こうして、取付部材４０は、シート取付部４１と開閉体取付部４２との距離が伸びることを許容するとともに、開閉体取付部４２が扉４ａ，４ｂに取り付けられたまま下方に移動することが許容されているので、シート１０の上端部１２が開閉扉４の扉４ａ，４ｂから外れることを抑制する。
【００５５】
なお、実施形態１及び２、変形例では、防水装置１，１−１，２を組み立てる場合、壁面３ａ，３ｂに保持部材２０を取り付けるようにしたが、本発明では、予め、壁面３ａ，３ｂに保持部材２０を取り付けておいても良い。また、防水装置１，１−１，２を組み立てる時に壁面３ａ，３ｂに保持部材２０を取り付ける場合には、予め壁面３ａ，３ｂの保持部材２０を取り付ける位置に、保持部材２０の位置を示す印（マーキングともいう）を設けても良い。
【００５６】
また、実施形態１及び２、変形例では、開閉体として開閉扉４を示しているが、本発明では、開閉体として、複数のスラットを開閉方向に連接して形成されて昇降動作などの移動することで開口部Ｏを開閉するシャッターカーテンを用いても良い。また、実施形態１においても、連結部としてばねやゴムなどの弾性体を用いても良い。
【００５７】
上記の各実施形態および変形例に開示された内容は、適宜組み合わせて実行することができる。
【符号の説明】
【００５８】
１，１−１，２  開口部の防水装置
４  開閉扉（開閉体）
６  床面
１０  シート
１２  上端部
１３  シート下部
２０  保持部材
３０  粘着テープ（取付部材）
３０ａ  一端部（シート取付部）
３０ｂ  他端部（開閉体取付部）
３０ｃ  中央部（連結部）
３１  粘着面
４０  取付部材
４１  シート取付部
４２  開閉体取付部
４２ａ  吸盤
４３  連結部
５１  所定部
Ｏ  開口部
Ｓ  構造物
【図１】
2014177803.tif 000003
【図２】
2014177803.tif 000004
【図３】
2014177803.tif 000005
【図４】
2014177803.tif 000006
【図５】
2014177803.tif 000007
【図６】
2014177803.tif 000008
【図７】
2014177803.tif 000009
【図８】
2014177803.tif 000010
【図９】
2014177803.tif 000011